(57)【要約】【課題】ガーデンルームの気密性が良く、外観が良い上屋を提供する。【解決手段】スライド式の扉６と、扉６を案内するレール６２と、勾配を有して設けられた垂木４と、垂木４に交差して設けられレール６２を支持するレール支持桁７とを備え、レール支持桁７は、レール６２が固定される支持桁本体７ａと、断面略逆Ｕ形であり開口部から支持桁本体７ｂを任意の挿入量で挿入して固定可能な支持桁カバー７ａとを備え、垂木４はレール支持桁７との交差部で分割され分割端部が支持桁カバー７ｂに固定されている。支持桁本体７ａの挿入量を変更することにより、垂木４とレール６２との間隔を調整できる。垂木４とレール支持桁７との間に隙間が生じず、ガーデンルームの気密性が良く、外観が良い。【選択図】図１
2014169527.tif 000002
【特許請求の範囲】
【請求項１】
スライド式の扉と、
該扉を案内するレールと、
勾配を有して設けられた垂木と、
該垂木に交差して設けられ、前記レールを支持するレール支持桁とを備え、
前記レール支持桁は、
前記レールが固定される支持桁本体と、
断面略逆Ｕ形であり、開口部から前記支持桁本体を任意の挿入量で挿入して固定可能な支持桁カバーとを備え、
前記垂木は、前記レール支持桁との交差部で分割され、分割端部が前記支持桁カバーに固定されている
ことを特徴とする上屋。
【請求項２】
屋根材と、
該屋根材を固定する屋根材固定具とを備え、
前記支持桁カバーは、
鉛直に設けられ、前記支持桁本体が固定される一対の本体固定面と、
前記本体固定面の上端に連設され、前記垂木の分割端部が固定される一対の垂木固定面と、
前記一対の垂木固定面の上端間に連設され、勾配を有する上面とを備え、
前記屋根材固定具は、前記垂木の上面および前記支持桁カバーの上面に渡って載置されている
ことを特徴とする請求項１記載の上屋。
【請求項３】
前記垂木固定面は、前記本体固定面に対して傾斜しており、
前記上面は、前記垂木固定面に対して直角に連設されている
ことを特徴とする請求項２記載の上屋。
【発明の詳細な説明】
【技術分野】
【０００１】
本発明は、上屋に関する。さらに詳しくは、スライド式の扉を備える上屋に関する。
【背景技術】
【０００２】
テラスに設けられる上屋の出幅方向中間位置に扉を設けて上屋の下方空間を仕切ることで、その扉の内側をガーデンルームとすることが行われる。上屋にスライド式の扉を設ける場合には、例えば、上屋を構成する垂木に上レールを支持するレール支持材を固定し、床面に下レールを固定して、上下のレール間に扉を設ける。
【０００３】
上下のレールの間隔は扉の高さ寸法に合わせる必要があるため、上レールの床面からの高さは扉の高さ寸法により定まる。一方、上屋を構成する屋根材には水勾配が設けられることから、屋根材を支持する垂木も勾配を有する。すなわち、垂木の床面からの高さは出幅方向の位置によって異なる。そのため、ガーデンルームの大きさを変更するために扉の出幅方向の位置を変更すると、その位置によって垂木と上レールとの間隔が変わる。その間隔を調整するためには、様々な寸法、形状のレール支持材を揃えておく必要がある。
【０００４】
特許文献１には、折畳み戸のガイドレールを支持する支持材を垂木に吊り支持する技術が開示されている。より詳細には、垂木に断面Ｕ字状の吊り部材を設置し、吊り部材の肉厚底部に吊りボルトをネジ込む。そして、吊りボルトのボルト頭を支持材の上面に設けられたボルト受具に受け入れることで、支持材が垂木に吊り支持される。吊りボルトのネジ込み量を変更することにより、垂木とガイドレールとの間隔を調整できる。
【０００５】
しかし、上記特許文献１の技術では、垂木と支持材との間に隙間が開いているため、ガーデンルームの気密性がなく、雨や風がガーデンルーム内に吹き込むという問題がある。また、垂木と支持材との間の吊りボルトが露わになっているため、外観が良くないという問題がある。
【先行技術文献】
【特許文献】
【０００６】
【特許文献１】特開２００５−１２０７２３号公報
【発明の概要】
【発明が解決しようとする課題】
【０００７】
本発明は上記事情に鑑み、ガーデンルームの気密性が良く、外観が良い上屋を提供することを目的とする。
【課題を解決するための手段】
【０００８】
第１発明の上屋は、スライド式の扉と、該扉を案内するレールと、勾配を有して設けられた垂木と、該垂木に交差して設けられ、前記レールを支持するレール支持桁とを備え、前記レール支持桁は、前記レールが固定される支持桁本体と、断面略逆Ｕ形であり、開口部から前記支持桁本体を任意の挿入量で挿入して固定可能な支持桁カバーとを備え、前記垂木は、前記レール支持桁との交差部で分割され、分割端部が前記支持桁カバーに固定されていることを特徴とする。
第２発明の上屋は、第１発明において、屋根材と、該屋根材を固定する屋根材固定具とを備え、前記支持桁カバーは、鉛直に設けられ、前記支持桁本体が固定される一対の本体固定面と、前記本体固定面の上端に連設され、前記垂木の分割端部が固定される一対の垂木固定面と、前記一対の垂木固定面の上端間に連設され、勾配を有する上面とを備え、前記屋根材固定具は、前記垂木の上面および前記支持桁カバーの上面に渡って載置されていることを特徴とする。
第３発明の上屋は、第２発明において、前記垂木固定面は、前記本体固定面に対して傾斜しており、前記上面は、前記垂木固定面に対して直角に連設されていることを特徴とする。
【発明の効果】
【０００９】
第１発明によれば、支持桁カバーに支持桁本体を任意の挿入量で挿入して固定できるので、挿入量を変更することにより、垂木とレールとの間隔を調整できる。また、垂木がレール支持桁との交差部で分割され支持桁カバーに固定されているので、垂木とレール支持桁との間に隙間が生じず、ガーデンルームの気密性が良く、外観が良い。
第２発明によれば、支持桁カバーの上面が勾配を有するので、屋根材固定具とレール支持桁との間に隙間が生じず、ガーデンルームの外観が良い。
第３発明によれば、支持桁カバーの上面と垂木固定面とは直角に連設されているので、垂木の分割端面を上面に対して直角にでき、垂木の加工が容易となる。
【図面の簡単な説明】
【００１０】
【図１】本発明の一実施形態に係る上屋の側面視断面図である
【図２】図１におけるレール支持桁部分の拡大図である。
【図３】図２におけるIII-III線矢視断面図である。
【図４】レール支持桁の説明図であって、（Ａ）は支持桁本体の挿入量を多くした場合、（Ｂ）は支持桁本体の挿入量を少なくした場合を示す。
【図５】折戸の位置の説明図であって、（Ａ）は折戸の位置が桁に近い場合、（Ｂ）は折戸の位置が躯体に近い場合を示す。
【図６】上屋の出幅の説明図であって、（Ａ）は出幅が短い場合、（Ｂ）は出幅が長い場合を示す。
【図７】上屋の斜視図であって、（Ａ）は折戸を閉じた場合、（Ｂ）は折戸を開いた場合を示す。
【発明を実施するための形態】
【００１１】
つぎに、本発明の実施形態を図面に基づき説明する。
図７に示すように、本発明の一実施形態に係る上屋Ａは、家屋の壁等の躯体Ｆに延設され、テラスＴの上方を覆うように設けられる。上屋Ａは、テラスＴに立設された２本の支柱１、１と、支柱１、１の上端間に架設された桁２と、各支柱１、１と躯体Ｆとの間に架設された２本の梁３、３と、桁２と躯体Ｆとの間に架設された複数本の垂木４と、垂木４に固定された複数枚の屋根材５とを備えている。垂木４は上屋Ａの出幅方向に沿って勾配を有しており、屋根材５に水勾配が設けられている。
【００１２】
上屋Ａは、その出幅方向中間位置と側面とに平面視コ字状にスライド式の折戸６が設けられている。折戸６の内側と外側とを仕切ることで、折戸６の内側をガーデンルームとして構成し、折戸６の外側を庇としている。なお、折戸６は特許請求の範囲に記載の「扉」に相当する。
【００１３】
折戸６はスライドして開閉可能となっている。折戸６の全てを閉じると上屋Ａの下方空間を仕切った状態にでき（図７（Ａ）参照）、折戸６を折畳んで躯体Ｆの近傍までスライドさせると、ガーデンルームを開放した状態にできる（図７（Ｂ）参照）。折戸６は、上下のレール６１、６２により案内されてスライドする。下レール６１はテラスＴに敷設されており、上レール６２は垂木４に直交して設けられたレール支持桁７および梁３、３に支持されている。
【００１４】
本実施形態に係る上屋Ａはレール支持桁７に特徴を有する。図１に示すように、レール支持桁７は、上屋Ａの出幅方向（図１における左右方向）中間位置に梁３に直交して設けられている。レール支持桁７は、上レール６２が固定される支持桁本体７ａと、断面略逆Ｕ形であり、開口部から支持桁本体７ａが挿入される支持桁カバー７ｂとからなる。支持桁本体７ａと支持桁カバー７ｂは、いずれも２本の梁３、３の間隔と略同寸法の長尺のアルミニウム形材である。
【００１５】
支持桁本体７ａは、その両端部がＴ字金具等で梁３に固定され、梁３、３の間に架設されている。支持桁カバー７ｂは、支持桁本体７ａに固定されているとともに、垂木４が固定されている。
【００１６】
垂木４は、一端が躯体Ｆに取り付けられた垂木掛け８に固定され、他端が桁２に固定されており、上屋Ａの出幅方向に沿って勾配を有して設けられている。また、垂木４は、レール支持桁７との交差部で分割され、躯体Ｆ側の内垂木４１と、桁２側の外垂木４２とから構成されている。内垂木４１および外垂木４２の分割端部は、それぞれ支持桁カバー７ｂに固定されている。
【００１７】
このように、垂木４がレール支持桁７との交差部で分割され支持桁カバー７ｂに固定されているので、垂木４とレール支持桁７との間に隙間が生じず、ガーデンルームの気密性が良く、外観が良くなる。
【００１８】
図２に示すように、支持桁本体７ａは、断面略凸字形の中空部材であり、その上部が下部に対して幅狭に形成されている。支持桁本体７ａの底面には上レール６２がビスで固定されている。上レール６２には、折戸６の上端に取り付けられたローラ６３が挿入されている。
【００１９】
支持桁カバー７ｂは、全体形状が断面略逆Ｕ形であり、鉛直に設けられた一対の本体固定面７１、７１と、本体固定面７１、７１の上端に連設された一対の垂木固定面７２、７２と、一対の垂木固定面７２、７２の上端間に連設された上面７３とから構成されている。
【００２０】
各本体固定面７１には内側に凹んだ凹部７４が形成されている。凹部７４、７４の間の寸法は、支持桁本体７ａの上部の幅寸法と略同一であり、支持桁本体７ａを支持桁カバー７ｂに挿入すると、凹部７４と支持桁本体７ａの上部とが接するように構成されている。支持桁本体７ａを支持桁カバー７ｂに挿入して凹部７４と支持桁本体７ａの上部とをビスで締結することで、本体固定面７１に支持桁本体７ａが固定される。凹部７４の開口部にはビスカバー７５が取り付けられ、内部のビスを隠蔽するとともに、本体固定面７１を面一に仕上げている。また、本体固定面７１、７１の間の寸法は、支持桁本体７ａの下部の幅寸法と略同一であり、支持桁本体７ａを支持桁カバー７ｂに挿入すると、支持桁カバー７ｂと支持桁本体７ａとが隙間なく接して、外観上一体の部材として構成される。
【００２１】
各垂木固定面７２の下端には、外側に向かって突出した垂木受け７６が設けられている。垂木４を構成する内垂木４１および外垂木４２の分割端部は、分割端面を垂木固定面７２に接触させるとともに、底面を垂木受け７６に載せてビスで締結することで、垂木固定面７２に固定されている。垂木受け７６の開口部にはビスカバー７７が取り付けられ、内部のビスを隠蔽している。
【００２２】
垂木固定面７２は本体固定面７１に対して傾斜して連設されている。また、上面７３は垂木固定面７２に対して直角に連設されている。それゆえ、本体固定面７１を鉛直に設けると、上面７３は勾配を有する。また、上面７３の勾配は、垂木４（４１、４２）の勾配と略同一となっており、垂木固定面７２は垂木４（４１、４２）に対して略垂直に設けられる。
【００２３】
支持桁カバー７ｂがこのような形状であるから、内垂木４１および外垂木４２の分割端面を、その上面に対して直角とすれば、垂木固定面７２と面接触し隙間なく固定できる。このように、垂木４（４１、４２）の分割端面を上面に対して直角にでき、垂木４（４１、４２）の加工が容易となる。
【００２４】
垂木４（４１、４２）の上面には屋根材固定具９が固定されている。図３に示すように、屋根材５はその両縁部が屋根材固定具９に把持されることで固定されている。屋根材固定具９は、レール支持桁７との交差部で分割されることなく、垂木４（４１、４２）の上面および支持桁カバー７ｂの上面７３に渡って載置されている。
【００２５】
前述のごとく、支持桁カバー７ｂの上面７３は、垂木４の勾配と略同一の勾配を有するので、垂木４（４１、４２）の上面および支持桁カバー７ｂの上面７３が面一に連なり、屋根材固定具９とレール支持桁７との間に隙間が生じない。そのため、ガーデンルームの外観が良くなる。
【００２６】
また、屋根材固定具９が分割されていないので、屋根材固定具９を挟んで隣り合う屋根材５、５の間に隙間が生じず、水漏れ等の恐れがない。屋根材固定具９の内部に水が進入しても、桁２の方向に排水でき、途中で水漏れすることがない。
【００２７】
支持桁カバー７ｂの上面７３と屋根材５との間には、屋根受けシール材５１が挟まっている。これにより、レール支持桁７により屋根材５が支持されるとともに、ガーデンルームの気密性を向上させている。
【００２８】
図４に示すように、レール支持桁７は、支持桁カバー７ｂの内部に支持桁本体７ａを任意の挿入量で挿入して固定可能となっている。すなわち、図４（Ａ）に示すように、支持桁本体７ａの挿入量を多くすればレール支持桁７全体の高さ寸法が短くなる。図４（Ｂ）に示すように、支持桁本体７ａの挿入量を少なくすればレール支持桁７全体の高さ寸法が長くなる。そのため、支持桁本体７ａの挿入量を変更することにより、垂木４（４１、４２）と上レール６２との間隔を調整できる。
【００２９】
図５に示すように、垂木４は上屋Ａの出幅方向に沿って勾配を有するため、折戸６の出幅方向の位置によって垂木４と上レール６２との間隔が変わる。図５（Ａ）に示すように、折戸６の位置が桁２に近いほど、垂木４と上レール６２との間隔は狭くなる。この場合、レール支持桁７は支持桁本体７ａの挿入量を多くしてレール支持桁７全体の高さ寸法を短くする（図４（Ａ）参照）。逆に、図５（Ｂ）に示すように、折戸６の位置が躯体Ｆに近いほど、垂木４と上レール６２との間隔は広くなる。この場合、レール支持桁７は支持桁本体７ａの挿入量を少なくてレール支持桁７全体の高さ寸法を長くする（図４（Ｂ）参照）。
【００３０】
図６に示すように、本実施形態の上屋Ａにおいては、垂木４は梁３の高さ寸法内に収まるように勾配が設けられる。そして、上屋Ａの出幅が短いと垂木４の勾配は急となり（図６（Ａ）参照）、上屋Ａの出幅が長いと垂木４の勾配は緩やかとなる（図６（Ｂ）参照）。そのため、折戸６の出幅方向の位置が同じであっても、上屋Ａの出幅によって垂木４と上レール６２との間隔が変わる。図６（Ａ）に示すように、上屋Ａの出幅が短いほど、垂木４と上レール６２との間隔は狭くなる。この場合、レール支持桁７は支持桁本体７ａの挿入量を多くしてレール支持桁７全体の高さ寸法を短くする（図４（Ａ）参照）。逆に、図６（Ｂ）に示すように、上屋Ａの出幅が長いほど、垂木４と上レール６２との間隔は広くなる。この場合、レール支持桁７は支持桁本体７ａの挿入量を少なくてレール支持桁７全体の高さ寸法を長くする（図４（Ｂ）参照）。
【００３１】
以上のように、レール支持桁７は、支持桁本体７ａの挿入量を変更することにより、垂木４と上レール６２との間隔を調整できる。その結果、種々の折戸６の出幅方向の位置や上屋Ａの出幅に対応できる。
【００３２】
（その他の実施形態）
上記実施形態に係る上屋Ａでは、レール支持桁７が垂木４に直交して設けられているが、レール支持桁７を垂木４に斜めに交差して設けてもよい。この場合には、レール支持桁７の長手方向に沿って支持桁本体７ａの挿入量を変化させることで、支持桁本体７ａを水平に設けるとともに、垂木４と上レール６２との間隔を調整できる。
【符号の説明】
【００３３】
１    支柱
２    桁
３    梁
４    垂木
４１  内垂木
４２  外垂木
５    屋根材
６    折戸
６１  下レール
６２  上レール
７    レール支持桁
７ａ  支持桁本体
７ｂ  支持桁カバー
７１  本体固定面
７２  垂木固定面
７３  上面
８    垂木掛け
９    屋根材固定具
【図１】
2014169527.tif 000003
【図２】
2014169527.tif 000004
【図３】
2014169527.tif 000005
【図４】
2014169527.tif 000006
【図５】
2014169527.tif 000007
【図６】
2014169527.tif 000008
【図７】
2014169527.tif 000009